(57)【要約】      （修正有）【課題】内鍵と外鍵の効果があるドア施錠装置を提供する。【解決手段】施錠アーム５はドアの内側にとりつけられる固定部６と、固定部に回転自在に軸支される所定長さのアーム本体７とを有しており、かつアーム本体は固定部側に広巾の中空部７ａと、狭巾の中空部７ｂを形成して略つ字型の係合部７ｃを形成しており、一方アーム受部８はドア枠にとりつけられるケース８ａと、軸部８ｂおよび軸部の先端の膨出部８ｃからなる施錠部８ｄと、施錠部を施錠状態に、または解錠状態に回転保持する錠機構９とを備えている。【選択図】図１
0003104691.tif 000002
【実用新案登録請求の範囲】
【請求項１】
ドアの内側にとりつけられる施錠アームと、ドア枠にとりつけられるアーム受部とからなるドアの施錠装置において、該施錠アームはドアの内側にとりつけられる固定部と、該固定部に回転自在に軸支される所定長さのアーム本体とを有しており、かつ該アーム本体は固定部側に広巾の中空部を、該中空部に連通して長手方向に沿って狭巾の中空部を形成して略つ字型の係合部を形成しており、一方アーム受部はドア枠にとりつけられるケースと、該ケースから突出して、所定角度回転可能にとりつけられる軸部および該軸部の先端の膨出部からなる施錠部と、該施錠部を施錠状態に、または解錠状態に回転保持する錠機構とを備えており、さらに上記施錠部の軸部および膨出部はアーム本体の広巾の中空部には挿通可能の形状であり、狭巾の中空部に対しては軸部は挿通できる形状であるが、膨出部は回転位置によって挿通可能、または係合部に係止可能の形状に構成されていることを特徴とするドアの施錠装置。
【請求項２】
鍵の操作によって錠機構が作動し、施錠部が所定角度回転して施錠状態または解錠状態に保持されることを特徴とする請求項１記載のドアの施錠装置。
【請求項３】
錠機構の作動により、施錠状態にある施錠部が、手動で所定角度回転して解錠状態に保持され、ついでケースの表面に露出している押動部がアーム本体で押動されると、錠機構が作動して施錠部が回転して元の位置に戻って施錠状態に保持され、ついで鍵の操作によって錠機構が作動し、施錠部が所定角度回転して解錠状態に保持され、さらに上記押動部がアーム本体で押動されると錠機構が作動して施錠部が回転して元の位置に戻って施錠状態に保持される構成を有することを特徴とする請求項１記載のドアの施錠装置。
【考案の詳細な説明】
【技術分野】
【０００１】本考案は通称用心鎖と言われる類のドアの施錠装置の改良に関する。
【背景技術】
【０００２】従来ドアの施錠装置は図１５で示すとおり、ドア１の内側にとりつけられる施錠アーム２と、ドア枠３にとりつけられるアーム受部４とからなり、施錠アームはドアの内側にとりつけられる固定部２ａと、該固定部に回転自在に軸支される所定長さのアーム本体２ｂとを有しており、かつ該アーム本体は固定部側に広巾の中空部２ｃを，該中空部に連通して長手方向に沿って狭巾の中空部２ｄを形成して略つ字型の係合部２ｅを形成しており、一方アーム受部はドア枠にとりつけられる固定部４ａと、該固定部から一体に突出して軸部４ｂおよび該軸部の先端の膨出部４ｃからなる施錠部４ｄとから構成されている。【０００３】しかして施錠に際しては、ドアを閉めた状態でアーム本体２ｂをアーム受部に接触する位置まで回転すると、その広巾の中空部２ｃにアーム受部の施錠部４ｄが挿通される。その状態で図示より明らかなようにドアを開けても、アーム本体は、係合部がアーム受部の膨出部に係合された状態で、狭巾の中空部に軸部が挿通された状態で外側に所定長さ（狭い巾の中空部の端部まで）移動し、係合部が軸部に係合して、それ以上開くことがなく、かつドアを少しでも開けた状態では係合部が膨出部に係合されているので、アーム本体が施錠部から外れることがなく施錠状態を保持する。【０００４】解錠に際しては上記と逆の動作でよく、ドアを閉めた状態にすれば施錠部が広巾の中空部に位置するので本体アームをドア側に回転すれば解錠される。
【考案の開示】
【考案が解決しようとする課題】
【０００５】上記従来の施錠装置は室内からの施錠、言わば在宅時での施錠であり、施錠の状態でドアを所定の間隙開口できるので通風、防犯、面会等において意義がある。
ところがこの施錠装置では次のような問題点、改良点が要望されていた。【０００６】その一つは、防犯上在宅者が施錠状態にしているが、外出者が帰宅した際、その都度在宅者が解錠しなければならず面倒であり、就寝することも出来ない。【０００７】その二つは、外出時言わば不在にするときは、外側から施錠できない機構であり、そのため防犯上外側からの施錠装置を１個ないし複数個とりつけ、しかも鍵の施錠位置を見破られない対策が必要であり、コスト高になっていた。【０００８】本考案は上記問題点を解決するために鋭意、工夫を重ねて、上記した従来の施錠装置の機能、つまり在宅時での施錠機能は勿論のこと、さらにプラスして室外の施錠装置の機能も備えた施錠装置を提供する。
【課題を解決するための手段】
【０００９】その特徴の一つは「ドアの内側にとりつけられる施錠アームと、ドア枠にとりつけられるアーム受部とからなるドアの施錠装置に於いて、該施錠アームはドアの内側にとりつけられる固定部と、該固定部に回転自在に軸支される所定長さのアーム本体とを有しており，かつ該アーム本体は固定部側に広巾の中空部を，該中空部に連通して長手方向に沿って狭巾の中空部を形成して略つ字型の係合部を形成しており、一方アーム受部はドア枠にとりつけられるケースと、該ケースから突出して、所定角度回転可能にとりつけられる軸部と該軸部の先端の膨出部からなる施錠部と、該施錠部を施錠状態に，または解錠状態に回転保持する錠機構とを備えており、さらに上記施錠部の軸部および膨出部はアーム本体の広巾の中空部には挿通可能の形状であり、狭巾の中空部に対しては軸部は挿通できる形状であるが、膨出部は回転位置によって挿通可能、または係合部に係止可能の形状に構成されていることを特徴とするドアの施錠装置」である。【００１０】その特徴の二つは「上記施錠装置は、鍵の操作によって錠機構が作動し、施錠部が所定角度回転して施錠状態または解錠状態に保持されることを特徴とするドアの施錠装置」である。【００１１】その特徴の三つは「上記施錠装置は、錠機構の作動により、施錠状態にある施錠部が手動で所定角度回転して解錠状態に保持され、ついでケースの表面に露出している押動部がアーム本体で押動されると、錠機構が作動して施錠部が回転して元の位置に戻って施錠状態に保持され、ついで鍵の操作によって錠機構が作動し、施錠部が所定角度回転して解錠状態に保持され、さらに上記押動部がアーム本体で押動されると錠機構が作動して施錠部が回転して元の位置に戻って施錠状態に保持される構成を有することを特徴とするドアの施錠装置」である。
【考案の効果】
【００１２】本考案の施錠装置はアーム受部の施錠部が錠機構によって所定角度回転可能に構成したことにより、室内からの施錠、解錠ならびに室外からの施錠、解錠が可能であり、在宅時に施錠状態であれば防犯上意義があり、さらに外出者が帰宅した際、本人が解錠できるので在宅者の面倒を煩わすことがなく、就寝、その他独自の部屋での行動ができる。【００１３】外出時つまり不在にするときは、外側からアーム本体を施錠部に係合して施錠できるので、従来からの外側に設置する施錠装置に、さらにプラスした施錠装置となり、防犯効果が増大する。ことに本考案の施錠装置はドアの内側にとりつけられるので、ドアが閉まっている状態では外部から視覚できないので、悪質侵入者の予感、想像認識を覆すこととなり、防犯効果を増長する。【００１４】もちろん本考案の施錠装置のみで在宅時、外出時の施錠機能があるのでドアの設置個所によっては本装置のみでよく、外側からの別の施錠装置が不要となり、コスト軽減となり、さらに外部に露出しないのでドアの意匠感がよくなる。
【考案を実施するための最良の形態】
【００１５】本考案の実施例について以下に説明する。
図１は本考案のドアの施錠装置をドアおよびドア枠にとりつけて、施錠状態とし、ドアを開口している状態の略斜視図である。５はドアの内側にとりつけられる施錠アームで、従来と同様の構成である。６は固定部、７は該固定部に回転自在に軸支される所定長さのアーム本体である。このアーム本体は固定部側に広巾の中空部７ａを、該中空部に連通して長手方向に沿って狭巾の中空部７ｂを形成して、略つ字型の係合部７ｃを形成している。【００１６】８はドア枠にとりつけられる本考案のアーム受部で、該受部はドア枠にとりつけられるケース８ａと、該ケースには、ケースから突出して所定角度、この実施例では約９０度回転可能にとりつけられる軸部８ｂと該軸部の先端の上下に膨らむ形状の膨出部８ｃからなる施錠部８ｄと、ケースに内蔵されていて該施錠部を施錠状態に、または解錠状態に所定角度回転作動する錠機構から構成されている。【００１７】上記施錠部８ｄの軸部８ｂおよび膨出部８ｃは、アーム本体の広巾の中空部７ａには挿通できる形状であり、狭巾の中空部７ｂに対しては軸部は挿通できる形状であるが、膨出部は回転位置によっては挿通可能または係合部に係止可能つまり挿通不可能の形状に構成されている。
図示より理解できるように、図１および図２のＡは膨出部は挿通できず係合部に係止する状態、つまり施錠の状態である。図２のＢの膨出部は所定角度、この実施例では９０度回転しており、狭巾の中空部７ｂに挿通可能の状態である。言わば解錠の状態である。
この施錠部の回転は、シリンダー錠９の鍵挿入口に挿入される鍵によって錠機構を作動することによって実行される。【００１８】図３、図４は錠機構の一実施例を示す作動図である。ケース８内にシリンダー錠９、シリンダー錠の回転カムに連動して回転するピ二オンギア１０、該ギアに連動して移動するラックギア１１、さらに該ラックギアに連動して回転するピ二オンギア１２等が内蔵されている。
１１ａ、１１ｂはギア部分を示す。１３は鍵である。ピ二オンギア１２と施錠部８ｄは一体的である。よって施錠状態にある施錠部の所定角度の回転は、鍵１３の回転操作によって錠機構が作動し、つまりシリンダー錠の回転カムに連動するピ二オンギア１０の回転により、上記の通り順次伝達されて施錠部が回転して解錠される。また鍵１３の逆回転操作によって上記の機構が逆方向に作動して、施錠部も逆方向に回転して元の施錠状態に戻る。【００１９】上記本考案施錠装置の構成の説明より、ドアの施錠、解錠の操作手順は、十分に理解できるところであるが、以下のとおりである。
在宅時の施錠は従来の施錠装置と同様で、ドアを閉めた状態でアーム本体を回転して、広幅の中空部に施錠状態の施錠部を嵌入すればよい。
解錠はこれの逆の操作でよい。【００２０】外出する時は、まず鍵の操作によって施錠部を解錠の状態に回転し、次いでドアの外側からドアを少し開けた状態で、手を入れてアーム本体を回転して狭巾の中空部に施錠部を挿通せしめ、次いで鍵の操作によって施錠部を所定角度、約９０度回転して膨出部を係合部に係合せしめることにより施錠状態が保持される。
しかしてドアを閉めて従来同様外錠をかければよい。【００２１】帰宅時の解錠は上記施錠の操作と逆の操作をすればよい。つまり外錠を解錠して、ドアを少し開けて鍵により施錠部を回転して解錠状態とし、アーム本体を外せばドアが開放される。ついで鍵により施錠部を施錠状態に回転保持すれば従来同様在宅時の状態になる。【００２２】次に本考案の錠機構の別の実施例を図５以降の図面を用いて説明する。上記実施例は施錠、解錠の際の施錠部の回転操作はいずれも鍵の操作による作動であるに対して、この実施例の特徴は、施錠の操作つまり施錠部を解錠の状態から９０度回転して施錠の状態にする操作には鍵を使用せずに錠機構の作動によって行うこと、そして外出時にアーム本体を施錠部に嵌入するために、施錠部を解錠状態に回転する操作は、手で回転操作し、ついでアーム本体を施錠部に嵌入して、押動部を押圧すれば、施錠部は９０度回転して自動施錠され、帰宅時には鍵による操作で錠機構を作動して施錠部を解錠状態に回転し、次いでアーム本体を外してドアを開放することを特徴としている。
要は鍵による施錠部の回転操作を帰宅時の解錠操作のみとしており、きわめて鍵の使用を軽減したことを特徴としている。【００２３】図５はアーム受部２５の斜視図を示し、ケース２４には施錠部１４を所定角度、約９０度回転する錠機構を構成する各部材が内蔵されている。１６は押動部、２２はシリンダー錠である。
図６から図９は錠機構を構成する各部材を示し、図６は施錠部１４と一体の回転駆動部１５を示す。Ａは平面図、ＢはＡのＸ−Ｘ端面図、ＣはＡの左側面図である。
図７は押動部１６を示す。Ａは平面図、ＢはＡのＸ−Ｘ断面図である。図８はストッパー１７を示す。Ａは平面図、ＢはＡの左側面図である。図９は解錠プレート１８を示す。Ａは平面図、ＢはＡの左側面図である。【００２４】図６において、１４は施錠部で、軸部１４ａの先端に膨出部１４ｂを形成している。軸部の他端には回転駆動部１５が一体成型されている。１５ａは回転軸部、１５ｂはストッパーの係合部、１５ｃは溝部、１５ｄは傾斜部、１５ｅは係止部である。【００２５】図７において、１６はケース表面の施錠部側に突出してとりつけられている押動部で、中空筒状の主部１６ａの外周の一箇所に突起１６ｂを、その反対側に押え部１６ｃをそれぞれ突出形成している。１６ｄは空部で、後述の押動スプリングが挿着されており、押動部が該スプリングに弾性支持されているが、アーム本体に押圧されると押し下げられる。【００２６】図８において、１７は回転駆動部１５の回転を阻止する，つまり施錠部の回転を阻止するストッパーを示す。１７ａは基部、１７ｂは掛止部、１７ｃはストッパスプリングを受ける突出部、１７ｄは押当部、１７ｅは支点軸である。【００２７】図９において、１８は解錠プレートを示す。該プレートはシリンダー錠２２の先端にとりつけられているピ二オンギア２３に噛合して前後移動する駆動部１８ａの一端に回転駆動部１５を押動する押当部１８ｂ及びストッパー１７の押当部１７ｄを押動する押下部１８ｃを形成している。１８ｄはピ二オンギア２３の噛合穴である。【００２８】図１０から図１４は上記各部材、その他部材からなる錠機構の作動状態の説明図である。図１０は施錠部１４が施錠状態に回転しており、その際の回転駆動部１５と押動部１６、ストッパー１７、解錠プレート１８の位置関係ならびに係合関係を示している。
つまりストッパーの押当部１７ｄが、押動部の押え部１６ｃによって押下げられており、よって掛止部１７ｂが押上げられており、掛止部と回転駆動部の係合部１５ｂとの係合が解かれている状態、いわゆる回転駆動部は回転できる状態である。この状態で施錠部１４の膨出部１４ｂを指でつかんで右回転（時計回転方向）９０度すると，図１１Ａの状態になる。つまり回転駆動部も９０度回転し、溝部１５ｃに押動部１６の突起１６ｂが嵌入している。この状態で回転スプリング１９が回転駆動部を元に戻す方向に付勢しているが、突起１６ｂによって回転駆動部の回転が阻止される。つまり施錠部が回転せず解錠の状態を保持する。【００２９】次に施錠するに当たり、図１１の状態でアーム本体の狭巾の中空部に施錠部を嵌入して、アーム本体が押動部１６を押下げると、突起１６ｂが溝部１５ｃから脱出して両者の係合が解かれる。よって回転スプリング１９の付勢力で回転駆動部１５、つまり施錠部が回転して元の位置まで戻る。よって図１２がその状態を示し、施錠の状態である。【００３０】次に図１２の施錠の状態から解錠するに当たり、図１３に示すごとく鍵２２ａをシリンダー錠２２に指してピ二オンギア２３を駆動せしめて解錠プレート１８を駆動し、同時に押下部１８ｃが押当部１７ｄを押下げることにより、掛止部１７ｂが押上がり、ストッパーの係合部１５ｂとの係合が解かれる。その直後に駆動部１８ａが回転駆動部１５の係止部１５ｅを押上げて行く。よって回転駆動部が９０度回転し、施錠部が解錠状態になる。図１３がその状態を示している。
この状態でシリンダー錠の鍵を元の位置に戻して抜き、同時に解錠プレートも元の位置に戻り、かつアーム本体を外してドアを開放自在にできる。この際押動部は上方に突出する。図１１と同じ状態になる。【００３１】再度施錠状態にするには、アーム本体を施錠部に嵌入して押動部を押下げると、押動部１６の突起１６ｂが溝部１５ｃの位置から抜け出し、両者の係合が解かれる。よって回転駆動部１５が回転スプリング１９の付勢力を受けて元の位置に回転して戻り、ストッパー１７が作用して施錠状態になる。図１４がその状態を示す。この状態でアーム本体を施錠部から外すには、ドアを閉めた状態にしてアーム本体を外せばよい。【００３２】以上施錠部の所定角度の回転によって、アーム本体の狭巾の中空部に施錠部が  出入り可能または不可能となり、よって施錠状態を保持または解錠状態を保持できる。
しかも、この作動は錠機構の作動に連動しており鍵の使用も一部であり、使い勝手が良い。本考案の技術思想を逸脱しない限りの設計変更は可能である。
【図面の簡単な説明】
【００３３】
【図１】本考案ドアの施錠装置の一実施例を示し、使用状態の略斜視図。
【図２】図１の施錠装置において、Ａはアーム本体と施錠部の施錠状態を示す略側面図、Ｂは解錠状態を示す略側面図。
【図３】図１の施錠装置における錠機構の平面視の作動図。
【図４】図３の作動図の正面視の作動図。
【図５】本考案のアーム受部の別の実施例を示す略斜視図。
【図６】図５の錠機構の施錠部と一体の回転駆動部を示し、Ａは平面図、ＢはＡのＸ−Ｘ断面図、ＣはＡの左側面図。
【図７】同じく押動部を示し、Ａは平面図、ＢはＡのＸ−Ｘ断面図。
【図８】同じくストッパーを示し、Ａは平面図、Ｂは左側面図。
【図９】同じく解錠プレートを示し、Ａは正面図、ＢはＡの左側面図。
【図１０】図６から図９に示す各部材を用いてなる錠機構の作動状態の説明で、Ａは平面図、ＢはＡのＸ−Ｘ断面図、ＣはＡのＹ−Ｙ断面図。
【図１１】同じく錠機構の作動状態の説明図で、図１０の状態から施錠部の回転駆動部が９０度回転した時の説明図で、Ａは平面図、ＢはＡのＸ−Ｘ断面図、ＣはＡのＹ−Ｙ断面図。
【図１２】図１１の状態からアーム本体によって押動部が押し下げられて、施錠部の回転駆動部が９０度逆回転して元の位置に戻った時の錠機構の作動状態説明図で、Ａは平面図、ＢはＡのＸ−Ｘ断面図、ＣはＡのＹ−Ｙ断面図。
【図１３】図１２の状態から鍵を用いてシリンダー錠を駆動し、ギアを介して解錠プレートを移動して施錠部の回転駆動部を押動して９０度回転して解錠状態とした時の説明図で、Ａは平面図、ＢはＡのＸ−Ｘ断面図、ＣはＡのＹ−Ｙ断面図。
【図１４】図１１の状態からアーム本体をつけて施錠状態した説明図でＡは平面図、ＢはＡのＸ−Ｘ断面図、ＣはＡのＹ−Ｙ断面図。
【図１５】従来のドア施錠装置の使用状態を示す略斜視図。
【符号の説明】
【００３４】５  施錠アーム
６  固定部
７  アーム本体
７ａ  広幅の中空部
７ｂ  狭巾の中空部
７ｃ  係合部
８  アーム受部
８ａ  ケース
８ｂ  軸部
８ｃ  膨出部
８ｄ  施錠部
９  シリンダー錠
１０  ピ二オンギア
１１  ラックギア
１２  ピ二オンギア
１３  鍵
１４  施錠部
１４ａ  軸部
１４ｂ  膨出部
１５  回転駆動部
１５ａ  回転軸部
１５ｂ  ストッパーの係合部
１５ｃ  溝部
１５ｄ  傾斜部
１５ｅ  係止部
１６  押動部
１６ａ  主部
１６ｂ  突起
１６ｃ  押え部
１６ｄ  空部
１７  ストッパー
１７ａ  基部
１７ｂ  掛止部
１７ｃ  突出部
１７ｄ  押当部
１７ｅ  支点軸
１８  解錠プレート
１８ａ  駆動部
１８ｂ  押当部
１８ｃ  押下部
１８ｄ  噛合穴
１９  回転スプリング
２０  押動スプリング
２１  ストッパースプリング
２２  シリンダー錠
２２ａ  鍵
２３  ピ二オンギア
２４  ケース
２５  アーム受部
【図１】
0003104691.tif 000003
【図２】
0003104691.tif 000004
【図３】
0003104691.tif 000005
【図４】
0003104691.tif 000006
【図５】
0003104691.tif 000007
【図６】
0003104691.tif 000008
【図７】
0003104691.tif 000009
【図８】
0003104691.tif 000010
【図９】
0003104691.tif 000011
【図１０】
0003104691.tif 000012
【図１１】
0003104691.tif 000013
【図１２】
0003104691.tif 000014
【図１３】
0003104691.tif 000015
【図１４】
0003104691.tif 000016
【図１５】
0003104691.tif 000017